(57)【要約】    【課題】  偽輪郭の出現をより効果的に抑制することが可能な時分割階調表示装置及びその駆動方法を提供する。    【解決手段】  デジタルビデオ信号の１フレーム期間に異なる重みの複数のサブフレーム（Ｔｒ１〜Ｔｒ６）を有する表示装置（１００）であって、画素マトリクス部（１１０）と、信号線駆動回路（１２０）と、走査線駆動回路（１３０）と、入力されるフレーム単位のデジタルビデオ信号のフレーム周波数を変換するフレーム周波数変換回路（１７０）と、フレーム周波数変換回路からのフレーム単位のデジタルビデオ信号をサブフレーム単位の階調信号に変換する時分割階調信号生成回路（１６０）と、時分割階調信号生成回路、信号線駆動回路及び走査線駆動回路を制御して、時分割階調信号を画素マトリクス部へと供給するコントローラ（１５０）とを有し、フレーム周波数変換回路は出力されるデジタルビデオ信号のフレーム周波数を７５Ｈｚ以上とすることを特徴とする表示装置を提供する。【選択図】    図５
2005275315.tif 000002
【特許請求の範囲】
【請求項１】
デジタルビデオ信号の１フレーム期間に異なる重みの複数のサブフレームを有する表示装置であって、
画素マトリクス部と、
信号線駆動回路と、
走査線駆動回路と、
入力されるフレーム単位のデジタルビデオ信号のフレーム周波数を変換するフレーム周波数変換回路と、
前記フレーム周波数変換回路からのフレーム単位のデジタルビデオ信号をサブフレーム単位の階調信号に変換する時分割階調信号生成回路と、
前記時分割階調信号生成回路、前記走査線駆動回路及び前記信号線駆動回路を制御して、前記時分割階調信号を前記画素マトリクス部へと供給するコントローラとを有し、
前記フレーム周波数変換回路は出力されるデジタルビデオ信号のフレーム周波数を７５Ｈｚ以上とすることを特徴とする表示装置。
【請求項２】
前記フレーム周波数変換回路は前記出力されるデジタルビデオ信号のフレーム周波数を９０Ｈｚ以上１５０Ｈｚ以下とすることを特徴とする請求項１に記載の表示装置。
【請求項３】
前記フレーム周波数変換回路は前記出力されるデジタルビデオ信号のフレーム周波数を１００Ｈｚ以上１２０Ｈｚ以下とすることを特徴とする請求項１に記載の表示装置。
【請求項４】
デジタルビデオ信号の１フレーム期間に異なる重みの複数のサブフレームを有する表示装置であって、
画素マトリクス部と、
信号線駆動回路と、
走査線駆動回路と、
入力されるフレーム単位のデジタルビデオ信号をサブフレーム単位の階調信号に変換する時分割階調信号生成回路と、
前記時分割階調信号生成回路、前記走査線駆動回路及び前記信号線駆動回路を制御して、前記時分割階調信号を前記画素マトリクス部へと供給するコントローラとを有し、
各フレームにおける全てのサブフレームが各々複数の分割表示期間に分割され、それによって各サブフレームに対応する前記分割表示期間の周波数が７５Ｈｚ以上となっていることを特徴とする表示装置。
【請求項５】
各サブフレームに対応する前記分割表示期間の周波数が９０Ｈｚ以上１５０Ｈｚ以下であることを特徴とする請求項４に記載の表示装置。
【請求項６】
各サブフレームに対応する前記分割表示期間の周波数が１００Ｈｚ以上１２０Ｈｚ以下であることを特徴とする請求項４に記載の表示装置。
【請求項７】
前記入力されるフレーム単位のデジタルビデオ信号のフレーム周波数が６０Ｈｚであり、各サブフレームは２つの分割表示期間に分割され、各サブフレームに対応する前記分割表示期間の周波数が１２０Ｈｚとなっていることを特徴とする請求項４に記載の表示装置。
【請求項８】
前記画素マトリクス部が有機ＥＬを含むことを特徴とする請求項１乃至７のいずれか一項に記載の表示装置。
【請求項９】
デジタルビデオ信号の１フレーム期間に異なる重みの複数のサブフレームを有する表示装置の駆動方法であって、
入力されるフレーム単位のデジタルビデオ信号のフレーム周波数を変換する過程と、
前記変換されたフレーム周波数のデジタルビデオ信号からサブフレーム単位の時分割階調信号を生成する過程と、
前記サブフレーム単位の時分割階調信号を前記表示装置の画素マトリクス部に供給する過程とを有し、
前記フレーム周波数変換過程は、前記フレーム周波数を７５Ｈｚ以上に変換することを特徴とする表示装置の駆動方法。
【請求項１０】
前記フレーム周波数変換過程は、前記フレーム周波数を９０Ｈｚ以上１５０Ｈｚ以下とすることを特徴とする請求項９に記載の表示装置の駆動方法。
【請求項１１】
前記フレーム周波数変換過程は、前記フレーム周波数を１００Ｈｚ以上１２０Ｈｚ以下とすることを特徴とする請求項９に記載の表示装置の駆動方法。
【請求項１２】
デジタルビデオ信号の１フレーム期間に異なる重みの複数のサブフレームを有する表示装置の駆動方法であって、
入力されるフレーム単位のデジタルビデオ信号からサブフレーム単位の時分割階調信号を生成する過程と、
前記サブフレーム単位の時分割階調信号を前記表示装置の画素マトリクス部に供給する過程とを有し、
前記サブフレーム単位の時分割階調信号を前記画素マトリクス部に供給する過程において、各フレームにおける全てのサブフレームが各々複数の分割表示期間に分割され、それによって各サブフレームに対応する前記分割表示期間の周波数が７５Ｈｚ以上となっていることを特徴とする表示装置の駆動方法。
【請求項１３】
各サブフレームに対応する前記分割表示期間の周波数が９０Ｈｚ以上１５０Ｈｚ以下であることを特徴とする請求項１２に記載の表示装置の駆動方法。
【請求項１４】
各サブフレームに対応する前記分割表示期間の周波数が１００Ｈｚ以上１２０Ｈｚ以下であることを特徴とする請求項１２に記載の表示装置の駆動方法。
【請求項１５】
入力されるフレーム単位のデジタルビデオ信号のフレーム周波数が６０Ｈｚであり、各サブフレームは２つの分割表示期間に分割され、各サブフレームに対応する前記分割表示期間の周波数が１２０Ｈｚとなっていることを特徴とする請求項１２に記載の表示装置の駆動方法。
【請求項１６】
前記時分割階調表示装置の前記画素マトリクス部は有機ＥＬを含むことを特徴とする請求項９乃至１５のいずれか一項に記載の表示装置の駆動方法。
【請求項１７】
デジタルビデオ信号の１フレーム期間に異なる重みの複数のサブフレームを有する表示装置を備えた電子機器であって、
前記表示装置は、
画素マトリクス部と、
信号線駆動回路と、
走査線駆動回路と、
入力されるフレーム単位のデジタルビデオ信号のフレーム周波数を変換するフレーム周波数変換回路と、
前記フレーム周波数変換回路からのフレーム単位のデジタルビデオ信号をサブフレーム単位の階調信号に変換する時分割階調信号生成回路と、
前記時分割階調信号生成回路、前記走査線駆動回路及び前記信号線駆動回路を制御して、前記時分割階調信号を前記画素マトリクス部へと供給するコントローラとを有し、
前記フレーム周波数変換回路は出力されるデジタルビデオ信号のフレーム周波数を７５Ｈｚ以上とすることを特徴とする電子機器。
【請求項１８】
デジタルビデオ信号の１フレーム期間に異なる重みの複数のサブフレームを有する表示装置を備えた電子機器であって、
前記表示装置は、
画素マトリクス部と、
信号線駆動回路と、
走査線駆動回路と、
入力されるフレーム単位のデジタルビデオ信号をサブフレーム単位の階調信号に変換する時分割階調信号生成回路と、
前記時分割階調信号生成回路、前記走査線駆動回路及び前記信号線駆動回路を制御して、前記時分割階調信号を前記画素マトリクス部へと供給するコントローラとを有し、
各フレームにおける全てのサブフレームが各々複数の分割表示期間に分割され、それによって各サブフレームに対応する前記分割表示期間の周波数が７５Ｈｚ以上となっていることを特徴とする電子機器。
【発明の詳細な説明】
【技術分野】
【０００１】
本発明は、偽輪郭を抑制した時分割階調表示装置及びその駆動方法に関する。特に有機ＥＬを用いた時分割階調表示装置及びその駆動方法に関する。また、そのような表示装置を用いた電子機器に関する。
【背景技術】
【０００２】
近年、デジタルビデオ信号を用いたアクティブマトリクス型の表示装置の研究開発が盛んに行われている。そのようなアクティブマトリクス型表示装置には、例えば液晶を用いたものや、有機ＥＬを用いたものがある。アクティブマトリクス型の表示装置では、通常、静止画像（フレーム）を１秒間に６０枚連続して表示することで動画像を表示している（即ち、フレーム周波数６０Ｈｚ）。デジタルビデオ信号を用いて階調表示を行う方法として、面積分割駆動法と時分割駆動法が知られている。
【０００３】
時分割駆動法は、画素の点灯する長さを制御することで階調表示を行う駆動法である。具体的には、１フレーム期間を異なる重み（即ち持続時間）の複数の表示期間（サブフレームまたはサブフィールドという）に分割する。そして、デジタルビデオ信号は、各サブフレームにおいて各画素が点灯または非点灯のいずれの状態になるかを指定する（このようなデジタルビデオ信号を時分割階調信号と呼ぶ）。ある画素の階調は、１フレーム期間中に出現する全てのサブフレームの内、その画素が点灯したサブフレームの長さを積算することで求められる。例えば６ビットのデジタルビデオ信号を用いる場合、１フレーム中に６つのサブフレーム（Ｔｒ１〜Ｔｒ６）が含まれる。そして最小のサブフレームをＴｒ１としたとき、Ｔｒ１〜Ｔｒ６の長さの比を２0：２1：２2：２3：２4：２5とすることで、０〜６３階調の表示を行うことができる。一般にｎビットのデジタルビデオ信号では、０〜２ｎ−１階調の表示を行うことができる。
【０００４】
このような時分割階調の表示装置では、動画を表示する際に、本来境界を生ずることのない滑らかに階調が変化する部分に偽輪郭（または擬似輪郭とも言う）が知覚されることがある。図１０（Ａ）及び（Ｂ）を用いて、偽輪郭の発生のメカニズムについて説明する。
【０００５】
図１０（Ａ）に偽輪郭が発生して見える表示装置の画素部を示し、図１０（Ｂ）に、該画素部において、１フレーム期間中において出現する点灯期間の長さの比を示す。
【０００６】
図１０（Ａ）及び（Ｂ）では、０〜６３階調の表示が可能な６ビットのデジタルビデオ信号を用いて画像を表示しており、図１０（Ａ）に示した画素部の右半分は３２（２５）階調の表示を行っており、左半分は３１（２５−１）階調の表示を行っている。言い換えると、３２階調の画素は最も長いサブフレームＴｒ６の間点灯し、残りのサブフレームＴｒ１〜Ｔｒ５では非点灯となり、３１階調の画素は最も長いサブフレームＴｒ６の間非点灯状態となり、残りのサブフレームＴｒ１〜Ｔｒ５では点灯する。
【０００７】
図１０（Ｂ）に示すように、画素部の３１階調の表示を行っている部分では、１フレーム期間の３１／６３の期間において画素が点灯の状態であり、１フレーム期間の３２／６３の期間において画素が非点灯の状態である。そして画素が点灯の状態の期間と、非点灯の状態の期間とが交互に出現している。
【０００８】
また、画素部の３２階調の表示を行っている部分では、１フレーム期間の３２／６３の期間において画素が点灯の状態であり、１フレーム期間の３１／６３の期間において画素が非点灯の状態である。そして画素が点灯の状態の期間と、非点灯の状態の期間とが交互に出現している。
【０００９】
動画を表示する場合、例えば図１０（Ａ）において、３１階調を表示している部分と３２階調を表示している部分の境界が、点線の方向に移動したとする。つまり境界付近において、画素は３１階調の表示から３２階調の表示に切り替わる。すると、境界付近の画素では、３１階調を表示するための点灯期間の直後に３２階調を表示するための点灯期間が開始される。そのため人間の目には、該画素が１フレーム期間連続して点灯しているように見える。これは画面上に不自然な明るい線として知覚される。
【００１０】
また逆に、例えば図１０（Ａ）において、３１階調を表示している部分と３２階調を表示している部分の境界が、実線の方向に移動したとする。つまり境界付近において、画素は３２階調の表示から３１階調の表示に切り替わる。すると、境界付近の画素では、３２階調を表示するための点灯期間の直後に３１階調を表示するための点灯期間が開始される。そのため人間の目には、該画素が１フレーム期間連続して非点灯の状態に見える。これは画面上に不自然な暗い線として知覚される。
【００１１】
以上のような、画面上に現れて見える不自然な明るい線や暗い線が、偽輪郭（動画偽輪郭）と呼ばれる表示妨害である。
【００１２】
静止画であっても、動画において動画偽輪郭が発生するのと同じ原因により、表示妨害が視認されてしまうことがある。また、同じ階調であっても、発光タイミングが異なる画素エリアの境界において偽輪郭が視認され得る。
【００１３】
上記のような時分割階調表示装置における偽輪郭を防止するため、期間が長いサブフレーム（例えばＴｒ６）を一定の規則により複数の表示期間（分割表示期間）に分割するとともに、該複数の分割表示期間を１フレーム内に分散させることが提案されている（特許文献１参照）。
【００１４】
【特許文献１】特開２００２−１４９１１３号公報
【発明の開示】
【発明が解決しようとする課題】
【００１５】
しかしながら、上記駆動方法においても、尚、偽輪郭が知覚される場合がある。従って、本願の主な目的は、偽輪郭の出現をより効果的に抑制することが可能な時分割階調表示装置及びその駆動方法を提供することである。
【課題を解決するための手段】
【００１６】
上記課題を解決するために、本発明の一形態によれば、デジタルビデオ信号の１フレーム期間に異なる重みの複数のサブフレーム（Ｔｒ１〜Ｔｒ６）を有する表示装置（１００）であって、画素マトリクス部（１１０）と、信号線駆動回路（１２０）と、走査線駆動回路（１３０）と、入力されるフレーム単位のデジタルビデオ信号のフレーム周波数を変換するフレーム周波数変換回路（１７０）と、フレーム周波数変換回路からのフレーム単位のデジタルビデオ信号をサブフレーム単位の階調信号に変換する時分割階調信号生成回路（１６０）と、時分割階調信号生成回路、信号線駆動回路及び走査線駆動回路を制御して、時分割階調信号を画素マトリクス部へと供給するコントローラ（１５０）とを有し、フレーム周波数変換回路は出力されるデジタルビデオ信号のフレーム周波数を７５Ｈｚ以上とすることを特徴とする表示装置が提供される。
【００１７】
フレーム周波数変換回路が出力されるデジタルビデオ信号のフレーム周波数を９０Ｈｚ以上１５０Ｈｚ以下とすると好適であり、１００Ｈｚ以上１２０Ｈｚ以下とするとより一層好ましい。
【００１８】
本発明の別の形態によれば、デジタルビデオ信号の１フレーム期間に異なる重みの複数のサブフレーム（Ｔｒ１〜Ｔｒ６）を有する表示装置（１００ａ）であって、画素マトリクス部（１１０）と、信号線駆動回路（１２０）と、走査線駆動回路（１３０）と、入力されるフレーム単位のデジタルビデオ信号をサブフレーム単位の階調信号に変換する時分割階調信号生成回路（１６０）と、時分割階調信号生成回路、信号線駆動回路及び走査線駆動回路を制御して、時分割階調信号を画素マトリクス部へと供給するコントローラ（１５０）とを有し、各フレームにおける全てのサブフレームが各々複数の分割表示期間（Ｔｒ１１、Ｔｒ１２、．．．、Ｔｒ６１、Ｔｒ６２）に分割され、それによって各サブフレームに対応する分割表示期間の周波数が７５Ｈｚ以上となっていることを特徴とする表示装置が提供される。
【００１９】
各サブフレームに対応する分割表示期間の周波数を９０Ｈｚ以上１５０Ｈｚ以下とすると好適であり、１００Ｈｚ以上１２０Ｈｚ以下とするとより一層好ましい。入力されるフレーム単位のデジタルビデオ信号のフレーム周波数が６０Ｈｚの場合、各サブフレームを２つの分割表示期間に分割し、各サブフレームに対応する分割表示期間の周波数を１２０Ｈｚとすることができる。
【００２０】
表示装置の画素マトリクス部は好適には有機ＥＬを含む。
【００２１】
本発明の別の側面によると、デジタルビデオ信号の１フレーム期間に異なる重みの複数のサブフレーム（Ｔｒ１〜Ｔｒ６）を有する表示装置（１００）の駆動方法であって、入力されるフレーム単位のデジタルビデオ信号のフレーム周波数を変換する過程と、変換されたフレーム周波数のデジタルビデオ信号からサブフレーム単位の時分割階調信号を生成する過程と、サブフレーム単位の時分割階調信号を表示装置の画素マトリクス部に供給する過程とを有し、フレーム周波数変換過程は、フレーム周波数を７５Ｈｚ以上に変換することを特徴とする表示装置の駆動方法が提供される。
【００２２】
前記フレーム周波数変換過程は、前記フレーム周波数を９０Ｈｚ以上１５０Ｈｚ以下とするとより好適であり、１００Ｈｚ以上１２０Ｈｚ以下とすると一層好ましい。
【００２３】
本発明の別の形態によると、デジタルビデオ信号の１フレーム期間に異なる重みの複数のサブフレーム（Ｔｒ１〜Ｔｒ６）を有する表示装置の駆動方法であって、入力されるフレーム単位のデジタルビデオ信号からサブフレーム単位の時分割階調信号を生成する過程と、サブフレーム単位の時分割階調信号を用いて表示装置の画素マトリクス部に供給する過程とを有し、サブフレーム単位の時分割階調信号を画素マトリクス部に供給する過程において、各フレームにおける全てのサブフレームは各々複数の分割表示期間（Ｔｒ１１、Ｔｒ１２、．．．、Ｔｒ６１、Ｔｒ６２）に分割され、それによって各サブフレームに対応する前記分割表示期間の周波数が７５Ｈｚ以上となっていることを特徴とする表示装置の駆動方法が提供される。
【００２４】
各サブフレームに対応する前記分割表示期間の周波数が９０Ｈｚ以上１５０Ｈｚ以下であると好適であり、１００Ｈｚ以上１２０Ｈｚ以下であるとより一層好ましい。入力されるフレーム単位のデジタルビデオ信号のフレーム周波数が６０Ｈｚの場合、各サブフレームを２つの分割表示期間に分割し、各サブフレームに対応する分割表示期間の周波数を１２０Ｈｚとすることができる。
【００２５】
前記表示装置の画素マトリクス部は好適には有機ＥＬを含む。
【発明の効果】
【００２６】
上記したように、表示装置においてフレーム周波数を７５Ｈｚ以上とすることにより、低階調における偽輪郭の発生を効果的に抑制することができる。フレーム周波数を９０Ｈｚ以上１５０Ｈｚ以下とすると、より高階調の偽輪郭も抑制でき、しかも不必要にフレーム周波数を高くしないことから製造コストを低減することができる。フレーム周波数が１００Ｈｚ以上１２０Ｈｚ以下であると、低階調から高階調の全域に渡って偽輪郭を効果的に抑制することができる。
【００２７】
また、表示装置において、各フレームにおける全てのサブフレームを各々複数の分割表示期間に分割し、それによって各サブフレームに対応する前記分割表示期間の周波数が７５Ｈｚ以上になるようにすると、低階調における偽輪郭の発生を効果的に抑制することができる。各サブフレームに対応する前記分割表示期間の周波数を９０Ｈｚ以上１５０Ｈｚ以下とすると、より高階調の偽輪郭も抑制でき、しかも不必要にフレーム周波数を高くしないことから製造コストを低減することができる。各サブフレームに対応する前記分割表示期間の周波数を１００Ｈｚ以上１２０Ｈｚ以下とすると、低階調から高階調の全域に渡って偽輪郭を効果的に抑制することができる。入力されるフレーム単位のデジタルビデオ信号のフレーム周波数が６０Ｈｚの場合、各サブフレームを２つの分割表示期間に分割すると、簡単な処理で各サブフレームに対応する分割表示期間の周波数を１２０Ｈｚとすることができる。
【００２８】
表示装置の画素マトリクス部が有機ＥＬを有すると、有機ＥＬは液晶などと比べて応答速度が速いため上記のようなフレーム周波数あるいは分割表示期間の周波数を容易に実現できる。
【発明を実施するための最良の形態】
【００２９】
以下、本発明の実施の形態を、図面を参照しながら説明する。
【００３０】
時分割階調表示装置において発光タイミングの異なる２つの画素領域の間に生じる偽輪郭とフレーム周波数の関係を調べるべく、図１に示すような表示装置１を準備した。この表示装置１は、画素マトリクス部１０、信号線駆動回路２０、及び走査線駆動回路３０を有している。画素マトリクス部１０の発光媒体としては有機ＥＬを用いた。画素マトリクス部１０は好適にはＰＭＯＳを有する複数の画素セル４０を含む。尚、ＰＭＯＳ以外にＮＭＯＳなど別のトランジスタを用いることもできる。
【００３１】
このような表示装置１に模擬ビデオ信号生成装置で生成した模擬デジタルビデオ信号を供給して、図２に示すように、左半分の画素が点灯状態にあり右半分の画素が非点灯状態にある画像（第１画像）と、左半分の画素が非点灯状態にあり右半分の画素が点灯状態にある画像（第２画像）とを、図３のタイミングチャートに示すタイプ１〜タイプ４のタイミングで表示し、各タイミングに対して様々な階調で徐々にフレーム周波数を上げて（即ち、１周期を短くして）偽輪郭の見えなくなる周波数を測定した。
【００３２】
図３において、タイプ１及びタイプ２におけるＢｌａｃｋは全画素が非点灯状態にある画像を示し、タイプ３におけるＷｈｉｔｅは全画素が点灯状態にある画像を示す。本実験では、１周期（または１フレーム期間）における第１画像と第２画像の表示時間は同じとした。従って、知覚される画面の右半分と左半分の階調は同じであり、偽輪郭が視認されなければ、中央の境界に線は現れない。タイプ１〜３では有機ＥＬに印加される動作電圧は一定とし、Ｂｌａｃｋ及びＷｈｉｔｅの表示時間を第１画像及び第２画像の表示時間に対し変えることで、画面の階調を変えた（即ち、Ｂｌａｃｋの表示時間を増加させると階調は低くなり、Ｗｈｉｔｅの表示時間を増加させると階調は高くなる）。タイプ１とタイプ２とでは、タイプ１では隣接する第１画像と第２画像の間にＢｌａｃｋが表示されるのに対し、タイプ２では第１画像のすぐ後に第２画像が表示される点が異なる。タイプ４はＢｌａｃｋ及びＷｈｉｔｅを含まず、有機ＥＬに印加される動作電圧を変え、点灯時の有機ＥＬ自体の輝度を変えることで表示画像の階調を変えた。尚、１周期における第１画像の表示時間をＴ１、第２画像の表示時間をＴ２、１周期の時間をＴとしたとき、（Ｔ１＋Ｔ２）／Ｔ×１００（％）を本明細書ではデューティー比と呼ぶ。
【００３３】
上記のような実験の結果を表１及び図４に示す。尚、タイプ４の結果は、有機ＥＬ自体の輝度を変えることで得られる表示画像の階調を、タイプ１または２において同じ階調となるデューティー比に換算して示した。
【００３４】
【表１】
2005275315.tif 000003
【００３５】
図４のタイプ１及び２に示されているように、Ｂｌａｃｋを挿入することで階調を変えた場合、偽輪郭が見えなくなるフレーム周波数とデューティー比との間の相関は弱く、デューティー比が小さい場合でも（即ち、低階調でも）、偽輪郭を抑制するには、フレーム周波数が通常の６０Ｈｚより高いことが必要であった。即ち、タイプ２においては７５Ｈｚ、タイプ１においては１００Ｈｚより高いことを必要とした。このことは、従来の認識と異なり、偽輪郭を抑制するには、時分割階調における複数のサブフレームのうち最も長いサブフレームだけでなく、最も短いサブフレームの周波数も所定の値より高くする必要があることを意味する。
【００３６】
また、図４から明らかなように、フレーム周波数がほぼ１００Ｈｚより高いと、どのタイプでも、全デューティー比に渡って偽輪郭が目立たなかった。
【００３７】
このように、上記実験結果によれば、好適にはフレーム周波数は約７５Ｈｚ以上であることがわかる。入力ビデオ信号のフレーム周波数が６０Ｈｚの場合、その１．５倍の９０Ｈｚのフレーム周波数のビデオ信号に変換するのは比較的容易であるため、フレーム周波数を９０Ｈｚ以上とするとより好適である。また、最も好ましくは、フレーム周波数を１００Ｈｚ以上とするとよい。
【００３８】
尚、製造コスト低減のためには不必要にフレーム周波数を上げることは好ましくなく、１５０Ｈｚ（入力ビデオ信号のフレーム周波数（６０Ｈｚ）の２．５倍）以下、より好適には１２０Ｈｚ（入力ビデオ信号のフレーム周波数（６０Ｈｚ）の２倍）以下とするとよい。
【００３９】
更に、タイプ３に対する結果は、高階調になるほど（即ちＷｈｉｔｅの割合が高くなるほど）、低いフレーム周波数で偽輪郭が視認されなくなることを示している。また、タイプ４に対する結果からわかるように、光源（有機ＥＬ）発光時の輝度が低くてもフレーム周波数が低いと偽輪郭は生じ得るため、偽輪郭を抑制するにはフレーム周波数を６０Ｈｚより高くする必要がある（例えば８５Ｈｚ以上）。
【００４０】
図５は、上記のような知見に基づく本発明の表示装置の一実施例を示す模式図である。この表示装置１００は、画素マトリクス部１１０、信号線駆動回路１２０、走査線駆動回路１３０、コントローラ１５０、時分割階調信号生成回路１６０、及びフレーム周波数変換回路１７０を有する。画素マトリクス部１１０は好適にはＰＭＯＳを有する複数の画素セル１４０を含む。フレーム周波数変換回路１７０には、フレーム単位のビデオ信号が入力される。表示装置１００は好適には画素マトリクス部１１０の発光媒体に有機ＥＬを用いた有機ＥＬディスプレイとすることができるが、プラズマ・ディスプレイ（ＰＤＰ）や液晶ディスプレイとすることもできる。また、発光媒体に無機ＥＬやＬＥＤ等を用いることもできる。
【００４１】
図６は、フレーム周波数変換回路１７０の動作の一例を示す模式図である。図示されているように、入力ビデオ信号は複数のフレーム．．．、Ｆｉ−１、Ｆｉ、Ｆｉ＋１、．．．を含む。フレーム周波数変換回路は、入力ビデオ信号を元に、挿入フレーム．．．、Ｆ′ｉ−１、Ｆ′ｉ、Ｆ′ｉ＋１、．．．を生成し、対応する元のフレームの後ろに挿入する。これによって、フレーム周波数を２倍にすることができる。各挿入フレームは例えば対応する元フレームと同じとすることができる（Ｆ′ｉ＝Ｆｉ）。或いは、各挿入フレームは対応する元フレームとその後続のフレームの平均とすることもできる（Ｆ′ｉ＝（Ｆｉ＋Ｆｉ＋１）／２）。他のフレーム周波数変換方法を用いてもよい。
【００４２】
時分割階調信号生成回路１６０は、フレーム周波数変換回路１７０から送られてきたフレーム周波数の高められたビデオ信号をサブフレーム単位の時分割階調信号（即ち、各サブフレームにおいて各画素の点灯／非点灯を指定する信号）に変換する。時分割階調信号は、コントローラ１５０の制御の下、画素マトリクス部１１０に送られ画素を駆動する。
【００４３】
このような時分割階調表示装置１００によれば、フレーム周波数変換回路１７０によってフレーム周波数を例えば１００Ｈｚ以上にすることができ、偽輪郭の出現を効果的に抑制することができる。
【００４４】
図７は、本発明に基づく表示装置の別の実施例を示す模式図である。この表示装置１００ａは、フレーム周波数変換回路１７０を有していない点において図５に示した表示装置１００と異なる。この実施例におけるコントローラ１５０の動作方法について図８を参照して説明する。
【００４５】
図８に示されているように、この実施例における時分割階調信号生成回路１６０は、入力されたフレーム単位のビデオ信号を複数個（図では６個）のサブフレームＴｒ１〜Ｔｒ６に対応するデジタル信号に変換する。コントローラ１５０は、図示されているように、複数のサブフレームＴｒ１〜Ｔｒ６をそれぞれ対応する２つの分割表示期間Ｔｒ１１、Ｔｒ１２、．．．、Ｔｒ６１、Ｔｒ６２に分割するとともに、各サブフレームに対応する２つの分割表示期間が隣接しないように１フレーム期間内に分散配置する。尚、隣接しなければ分散の態様は図８に示したものに限定されない。また、サブフレームの数は６に限定されるものではなく、別の数でもよい。これにより、各サブフレーム（例えばＴｒ１）に対応する分割表示期間（例えばＴｒ１１、Ｔｒ１２）の周波数はフレーム周波数（通常６０Ｈｚ）の２倍となり、実質的にフレーム周波数を２倍にしたのと同等の効果を奏し、偽輪郭の出現を効果的に抑制することができる。特に、最小期間のサブフレームＴｒ１も分割することにより、低階調における偽輪郭の生成を抑制することができる。また、本実施例では、フレーム周波数変換回路が不要であり、回路を単純化できる。
【００４６】
尚、各サブフレームＴｒ１〜Ｔｒ６は２より大きい数の分割表示期間に分割することも可能であるが、上記実験結果に示したように、偽輪郭を抑制するにはフレーム周波数を約１００Ｈｚ以上にすれば足ることから、不要な分割を避け製造コストを低減するため、２つの分割表示期間に分割する（即ち、分割表示期間の周波数を１２０Ｈｚとする）ことが好ましい。
【００４７】
以上説明したように、本発明の時分割階調表示装置及びその駆動方法は、時分割階調表示装置において偽輪郭を効果的に抑制する上で有用である。
【００４８】
本発明を適用可能な電子機器として、デスクトップ、床置き、または壁掛け型ディスプレイ、ビデオカメラ、デジタルカメラ、ゴーグル型ディスプレイ（ヘッドマウントディスプレイ）、ナビゲーションシステム、音響再生装置（カーオーディオ、オーディオコンポ等）、コンピュータ、ゲーム機器、携帯情報端末（モバイルコンピュータ、携帯電話、携帯型ゲーム機または電子書籍等）、記録媒体を備えた画像再生装置（具体的にはDigital Versatile Disc（ＤＶＤ）等の記録媒体に記録された映像や静止画を再生し、それを表示し得るディスプレイを備えた装置）などが挙げられる。それらの電子機器の具体例を図９（Ａ）〜図９（Ｈ）に示す。
【００４９】
図９（Ａ）はデスクトップ、床置き、または壁掛け型ディスプレイであり、筐体３０１、支持台３０２、表示部３０３、スピーカー部３０４、ビデオ入力端子３０５等を含む。本発明の表示装置は表示部３０３に用いることができる。このようなディスプレイは、パソコン用、ＴＶ放送受信用、広告表示用など任意の情報表示用表示装置として用いることができる。その結果、偽輪郭のないきれいな表示を行うことができるディスプレイを提供することができる。
【００５０】
図９（Ｂ）はデジタルカメラであり、本体３１１、表示部３１２、受像部３１３、操作キー３１４、外部接続ポート３１５、シャッター３１６等を含む。本発明の表示装置は、表示部３１２に用いることができる。その結果、偽輪郭のないきれいな表示を行うことができるデジタルカメラを提供することができる。
【００５１】
図９（Ｃ）はコンピュータであり、本体３２１、筐体３２２、表示部３２３、キーボード３２４、外部接続ポート３２５、ポインティングマウス３２６等を含む。本発明の表示装置は、表示部３２３に用いることができる。その結果、偽輪郭のないきれいな表示を行うことができるコンピュータを提供することができる。なおコンピュータには、中央演算装置（ＣＰＵ）、記録媒体等が一体化された所謂ノート型コンピュータ、別体化された所謂デスクトップ型コンピュータが含まれる。
【００５２】
図９（Ｄ）はモバイルコンピュータであり、本体３３１、表示部３３２、スイッチ３３３、操作キー３３４、赤外線ポート３３５等を含む。本発明の表示装置は、表示部３３２に用いることができる。その結果、偽輪郭のないきれいな表示を行うことができるモバイルコンピュータを提供することができる。
【００５３】
図９（Ｅ）は記録媒体を備えた携帯型の画像再生装置（具体的にはＤＶＤ再生装置）であり、本体３４１、筐体３４２、第１表示部３４３、第２表示部３４４、記録媒体（ＤＶＤ等）読み込み部３４５、操作キー３４６、スピーカー部３４７等を含む。第１表示部３４３は主として画像情報を表示し、第２表示部３４４は主として文字情報を表示するが、本発明の表示装置は、第１及び第２表示部３４３、３４４に用いることができる。その結果、偽輪郭のないきれいな表示を行うことができる画像再生装置を提供することができる。なお、記録媒体を備えた画像再生装置には家庭用ゲーム機器なども含まれる。
【００５４】
図９（Ｆ）はゴーグル型ディスプレイ（ヘッドマウントディスプレイ）であり、本体３５１、表示部３５２、アーム部３５３を含む。本発明の表示装置は、表示部３５２に用いることができる。その結果、偽輪郭のないきれいな表示を行うことができるゴーグル型ディスプレイを提供することができる。
【００５５】
図９（Ｇ）はビデオカメラであり、本体３６１、表示部３６２、筐体３６３、外部接続ポート３６４、リモコン受信部３６５、受像部３６６、バッテリー３６７、音声入力部３６８、操作キー３６９等を含む。本発明の表示装置は、表示部３６２に用いることができる。その結果、偽輪郭のないきれいな表示を行うことができるビデオカメラを提供することができる。
【００５６】
図９（Ｈ）は携帯電話機であり、本体３７１、筐体３７２、表示部３７３、音声入力部３７４、音声出力部３７５、操作キー３７６、外部接続ポート３７７、アンテナ３７８等を含む。本発明の表示装置は、表示部３７３に用いることができる。その結果、偽輪郭のないきれいな表示を行うことができる携帯電話機を提供することができる。
【００５７】
上記したような電子機器の表示部は、例えば各画素にＬＥＤや有機ＥＬなどの発光素子を用いた自発光型とすることも、或いは、液晶ディスプレイのようにバックライトなど別の光源を用いたものとすることもできるが、自発光型の場合、バックライトが必要なく、液晶ディスプレイよりも薄い表示部とすることができる。
【００５８】
また、上記電子機器はインターネットやＣＡＴＶ（ケーブルテレビ）などの電子通信回線を通じて配信された情報を表示したり、ＴＶ受像器として用いられたりすることが多くなり、特に動画情報を表示する機会が増してきている。表示部が自発光型の場合、有機ＥＬ等の発光材料の応答速度は液晶に比べて非常に速いため、そのような動画表示に好適である。また、時間分割駆動を行う上でも好ましい。将来的に発光材料の発光輝度が高くなれば、出力した画像情報を含む光をレンズ等で拡大投影してフロント型若しくはリア型のプロジェクターに用いることも可能となる。
【００５９】
自発光型の表示部では発光している部分が電力を消費するため、発光部分が極力少なくなるように情報を表示することが望ましい。従って、携帯情報端末、特に携帯電話や音響再生装置のような文字情報を主とする表示部を自発光型とする場合には、非発光部分を背景として文字情報を発光部分で形成するように駆動することが望ましい。
【００６０】
以上の様に、本発明の適用範囲は極めて広く、あらゆる分野の電子機器に用いることが可能である。
【図面の簡単な説明】
【００６１】
【図１】発光タイミングの異なる２つの画素領域の間に生じる偽輪郭とフレーム周波数の関係を調べるための実験に用いた表示装置のブロック図。
【図２】発光タイミングの異なる２つの画素領域の間に生じる偽輪郭とフレーム周波数の関係を調べるための実験に用いた画像パターンを示す模式図。
【図３】発光タイミングの異なる２つの画素領域の間に生じる偽輪郭とフレーム周波数の関係を調べるための実験に用いた複数の画像パターンの表示タイミングを示すタイムチャート。
【図４】発光タイミングの異なる２つの画素領域の間に生じる偽輪郭とフレーム周波数の関係を様々なデューティー比に対して示すグラフ。
【図５】本発明に基づく表示装置の一実施例を示すブロック図。
【図６】図５に示した表示装置のフレーム周波数変換回路の動作の一例を示す模式図。
【図７】本発明に基づく表示装置の別の実施例を示すブロック図。
【図８】図７に示した表示装置におけるサブフレームの分割の一例を示すタイミングチャート。
【図９】本発明が適用される電子機器を示す斜視図。
【図１０】図１０（Ａ）は従来の駆動方法を用いたＥＬディスプレイの画素部を示す模式図であり、図１０（Ｂ）は３１階調及び３２階調の画素における点灯期間と非点灯期間の長さの比を表した図。
【符号の説明】
【００６２】
１００、１００ａ  表示装置
１１０  画素マトリクス部
１２０  信号線駆動回路
１３０  走査線駆動回路
１５０  コントローラ
１６０  時分割階調信号生成回路
１７０  フレーム周波数変換回路
Ｔｒ１〜Ｔｒ６  サブフレーム
Ｔｒ１１、Ｔｒ１２、．．．、Ｔｒ６１、Ｔｒ６２  分割表示期間
【図１】
2005275315.tif 000004
【図２】
2005275315.tif 000005
【図３】
2005275315.tif 000006
【図４】
2005275315.tif 000007
【図５】
2005275315.tif 000008
【図６】
2005275315.tif 000009
【図７】
2005275315.tif 000010
【図８】
2005275315.tif 000011
【図９】
2005275315.tif 000012
【図１０】
2005275315.tif 000013